(57)【要約】【課題】レーザ墨出し装置において、脚部の閉動作によって光学本体の揺動をロックし、かつ、防塵性を高くして故障防止を図る。【解決手段】レーザ墨出し装置１は、光学本体２と、光学本体２を揺動自在に懸架し光学本体２を覆う外郭３と、外郭３を設置面に支持する脚部４と、光学本体２の揺動を固定するロック部５とを備えている。脚部４は、上部に凸部４２を有し、ロック部５は、外郭３の内部を外部の粉塵から遮蔽する外郭底板３２に設けられた挿入孔３４を貫通して設けられた回動自在なレバー５１を有している。レバー５１は、一端に凸部４２に嵌合する凹部５３を有し、他端に押圧部５４を有している。脚部４が閉じられると凸部４２がレバー５１を回動させ、押圧部５４が光学本体２の揺動をロックするので、光学本体２と外郭３とが当接して故障することが防止される。また、外郭底板３２によって防塵性が高くなるので、粉塵による故障を防止することができる。【選択図】図２
2011038822.tif 000002
【特許請求の範囲】
【請求項１】
ライン状ビーム光を照射する光学本体と、前記光学本体をジンバル機構によって揺動自在に懸架し該光学本体を覆う外郭と、前記外郭の底部に回動自在に取り付けられ該外殻を支持し、かつ、回動することで開閉する複数本の脚部と、前記光学本体の揺動を固定するロック手段と、を備えたレーザ墨出し装置において、
前記脚部は、その上部に凸部を有し、
前記ロック手段は、前記外郭の内部を外部の粉塵から遮蔽する外郭底板に設けられた挿通孔を貫通して設けられた回動自在なレバーを有し、
前記レバーは、外郭の外部に臨む一端に前記凸部に嵌合する凹部を有し、外郭の内部に臨む他端に前記光学本体を周囲から押圧する押圧部を有し、
前記脚部が閉じられたとき、前記凸部の回動によって前記レバーの押圧部が前記光学本体の揺動をロックし、前記脚部が開かれたとき、前記凸部の回動によって前記レバーの押圧部が前記光学本体のロックを解除することを特徴とするレーザ墨出し装置。
【請求項２】
前記脚部は前記凸部に代えて歯車を有し、前記レバーは前記凹部に代えて前記歯車に噛合する受け歯車を有したことを特徴とする請求項１に記載のレーザ墨出し装置。
【請求項３】
前記光学本体は円柱形状であり、前記押圧部は、前記ロック時に該光学本体の外形に沿う円弧形状であることを特徴とする請求項１又は請求項２に記載のレーザ墨出し装置。
【発明の詳細な説明】
【技術分野】
【０００１】
本発明は、垂直や水平なライン状ビーム光を出射するレーザ墨出し装置に関する。
【背景技術】
【０００２】
従来から、住宅建設や電気工事に際して壁面や天井面に付す基準線として、垂直や水平なライン状ビーム光や、真上や真下へのポイント状ビーム光を出射するレーザ墨出し装置が知られている。これらのレーザ墨出し装置は、レーザ発振器から出射されたビーム光を円筒レンズによって扇状のライン状ビーム光に変換し、又は集光レンズによってポイント状ビーム光に変換して照射する。このビーム光の照射には高い位置精度が要求されるので、レーザ墨出し装置は精密器具であり、ユーザには取り扱い時や持ち運び時に落下や転倒等によりレーザ墨出し装置に衝撃を与えないように注意が要求される。
【０００３】
このようなレーザ墨出し装置を図７に示す。レーザ墨出し装置１０１は、ライン状ビーム光やポイント状ビーム光を照射する光学本体２と、光学本体２をジンバル機構３１によって揺動自在に懸架する外郭３と、外郭３の底部の周囲に取り付けられ外郭３を設置面に支持する３本の脚部４とを備えている。レーザ墨出し装置１０１が使用されるときは脚部４が開かれて設置され、使用されないときは脚部４が閉じられて収納される。
【０００４】
レーザ墨出し装置１０１の脚部４が開かれた状態及び閉じられた状態を図８（ａ）（ｂ）に示す。光学本体２は、下ポイント用のビーム光Ｌを出射する光源２１と、出射されたビーム光Ｌを点形状に収束するレンズ２２とを有する出力部２３を底部に備えている。図では簡略化のために、１本の脚部４のみを示し、また、出力部に関しても下ポイント用のビーム光Ｌを照射する出力部２３のみを示して垂直や水平なライン状ビーム光を照射する出力部については省略している。光学本体２の底部には、凹部１２５が下向きに形成されている。脚部４の上部には、凹部１２５に係合する突出部１４２が設けられている。
【０００５】
脚部４が閉じられると、脚部４の上部の突出部１４２が凹部１２５に係合して揺動をロックするので、光学本体２と外郭３とが当接しない。脚部４が開かれると、凹部１２５と突出部１４２との係合が外れ、光学本体２が揺動自在となり、ビーム光Ｌは真下を照射する。このように、収納時には脚部４が閉じられて光学本体２の揺動がロックされるので、光学本体２と外郭３とが当接せず故障する虞が少ない。
【０００６】
しかしながら、この種のレーザ墨出し装置１０１においては、脚部４の突出部１４２が凹部１２５に入るように外郭３の下方が開放になっているので、外部の粉塵が外郭３内部に侵入する。侵入した粉塵がジンバル機構３１の動きを悪くしたり、ビーム光Ｌの照射の障害となり易い。
【０００７】
また、光学本体を外郭の内面の一方に押圧して固定するレバーを外郭の側面に設け、不使用時には、レバーによって光学本体の揺動を固定するレーザ墨出し装置が知られている（例えば特許文献１参照）。
【０００８】
しかしながら、特許文献１に示されるようなレバーを脚の開閉を行なうレーザ墨出し装置に取り付けると、収納時に脚部の閉動作とは別にレバーの操作を行なわなければならないので、レバー操作を忘却すると光学本体が外郭に当接して故障する虞がある。
【先行技術文献】
【特許文献】
【０００９】
【特許文献１】特開２００５−１２１６０９号公報
【発明の概要】
【発明が解決しようとする課題】
【００１０】
本発明は、上記問題を解消するものであり、脚部の閉動作によって光学本体の揺動をロックすることができ、かつ、防塵性が高く、故障防止を図ったレーザ墨出し装置を提供することを目的とする。
【課題を解決するための手段】
【００１１】
上記目的を達成するために請求項１の発明は、ライン状ビーム光を照射する光学本体と、前記光学本体をジンバル機構によって揺動自在に懸架し該光学本体を覆う外郭と、前記外郭の底部に回動自在に取り付けられ該外殻を支持し、かつ、回動することで開閉する複数本の脚部と、前記光学本体の揺動を固定するロック手段と、を備えたレーザ墨出し装置において、前記脚部は、その上部に凸部を有し、前記ロック手段は、前記外郭の内部を外部の粉塵から遮蔽する外郭底板に設けられた挿通孔を貫通して設けられた回動自在なレバーを有し、前記レバーは、外郭の外部に臨む一端に前記凸部に嵌合する凹部を有し、外郭の内部に臨む他端に前記光学本体を周囲から押圧する押圧部を有し、前記脚部が閉じられたとき、前記凸部の回動によって前記レバーの押圧部が前記光学本体の揺動をロックし、前記脚部が開かれたとき、前記凸部の回動によって前記レバーの押圧部が前記光学本体のロックを解除するものである。
【００１２】
請求項２の発明は、請求項１に記載のレーザ墨出し装置において、前記脚部は前記凸部に代えて歯車を有し、前記レバーは前記凹部に代えて前記歯車に噛合する受け歯車を有したものである。
【００１３】
請求項３の発明は、請求項１又は請求項２に記載のレーザ墨出し装置において、前記光学本体は円柱形状であり、前記押圧部は、前記ロック時に該光学本体の外形に沿う円弧形状であるものである。
【発明の効果】
【００１４】
請求項１の発明によれば、脚部が閉じられることによって脚部の凸部がレバーを回動させ、レバーの押圧部が光学本体の揺動をロックするので、光学本体と外郭とが当接して故障することが防止される。また、外郭底板が外郭の内部を外部の粉塵から遮蔽し易くなるので、防塵性が高くなり、粉塵によってジンバル機構の動作が悪くなったり、粉塵がビーム光の照射の障害になることがなくなる。
【００１５】
請求項２の発明によれば、脚部の歯車とレバーの受け歯車とが噛合し、請求項１での脚部の凸部及びレバーの凹部と同様の働きをするので、請求項１と同様の効果を得ることができる。
【００１６】
請求項３の発明によれば、押圧部が光学本体の外形に沿う円弧形状をしているので、光学本体の揺動を強固に固定することができる。
【図面の簡単な説明】
【００１７】
【図１】本発明の実施形態に係るレーザ墨出し装置の斜視図。
【図２】（ａ）は同レーザ墨出し装置の開脚時の部分断面図、（ｂ）は同レーザ墨出し装置の閉脚時の部分断面図。
【図３】（ａ）は同レーザ墨出し装置における開脚時のロック部の斜視図、（ｂ）は同レーザ墨出し装置における閉脚時のロック部の斜視図。
【図４】同レーザ墨出し装置の閉脚時の斜視図。
【図５】（ａ）は同レーザ墨出し装置の第１の変形例における開脚時の部分断面図、（ｂ）は同変形例における閉脚時の部分断面図。
【図６】（ａ）は同レーザ墨出し装置の第２の変形例におけるロック部の斜視図、（ｂ）は同変形例における開脚時の部分斜視図、（ｃ）は同変形例における閉脚時の部分斜視図。
【図７】従来のレーザ墨出し装置の斜視図。
【図８】（ａ）は同レーザ墨出し装置の開脚時の部分断面図、（ｂ）は同レーザ墨出し装置の閉脚時の部分断面図。
【発明を実施するための形態】
【００１８】
本発明の実施形態に係るレーザ墨出し装置について図１乃至図４を参照して説明する。レーザ墨出し装置１は、ポイント状ビーム光を照射する円柱形状の光学本体２と、光学本体２をジンバル機構３１によって揺動自在に懸架し光学本体２を覆う外郭３と、外郭３の底部の周囲に回動自在に取り付けられ外郭３を設置面に支持する脚部４と、を備えている。また、レーザ墨出し装置１は、光学本体２の揺動を固定するロック部（ロック手段）５を備えている。なお、図２においては簡略化のために脚部４を１本のみ示している。
【００１９】
光学本体２は、ビーム光Ｌを出射する光源２１と、出射されたビーム光Ｌを点形状に収束するレンズ２２とを有する出力部２３を底部に備えている。ここに示す出力部２３は下ポイント用のビーム光Ｌを照射するものである。光学本体２は、下ポイント用のビーム光Ｌの他に、垂直や水平なライン状ビーム光や上ポイント用のビーム光を照射する出力部をも備えているが、それらの図示は省略している（以下、同様）。光学本体２はジンバル機構３１によって外郭３に懸架されているので、外郭３が設置された面の傾きが所定の範囲内であれば、光学本体２の位置を基準とした上下ポイント状ビーム光や垂直、水平ライン状ビーム光を照射することができる。
【００２０】
外郭３は、内部を外部の粉塵から遮蔽する外郭底板３２を底部に有しており、外郭底板３２の中央の穴部３３は、ビーム光Ｌを通過させると共に外部の粉塵を入れないようにガラス等の透光部材（図示なし）によって塞がれている。外郭３は、３本の脚部４によって支持されている。脚部４は、回転軸４１によって回動自在に外郭３の底部に取り付けられている。レーザ墨出し装置１が使用されるときには、脚部４が開かれて設置面に設置され、使用されないときには脚部４が閉じられて収納される。脚部４の上部には凸部４２が設けられている。
【００２１】
ロック部５は、回動自在なレバー５１と、レバー５１を回動させる回転軸５２とを有し、レバー５１は、外郭底板３２の外周付近に設けられた挿入孔３４を貫通して設けられている。レバー５１は、外郭３の外部に臨む一端に凸部４２と嵌合する凹部５３を有し、外郭３の内部に臨む他端に光学本体２側に曲げられた押圧部５４を有している。挿入孔３４は、粉塵が入らないように小さいことが望ましい。
【００２２】
脚部４が開閉すると、凸部４２が回動し、凸部４２に嵌合した凹部５３も回動する。凹部５３の回動によってレバー５１の押圧部５４が開閉する。光学本体２の側面下部には、押圧部５４と係合する凹形状の側面凹部２４が設けられている。
【００２３】
次に、レーザ墨出し装置１の動作について説明する。図２乃至図４に示されるように、脚部４が開かれると、凸部４２が凹部５３の爪５３ａを押してレバー５１を回動させ、押圧部５４と側面凹部２４との係合が外れて光学本体２のロックが解除される。これにより、光学本体２は揺動自在になり、ビーム光Ｌは真下を照射する。また、脚部４が閉じられると、凸部４２が凹部５３の爪５３ｂを押してレバー５１を回動させ、押圧部５４が光学本体２を押圧して側面凹部２４と係合し、光学本体２の揺動がロックされる。このように脚部４が閉じられると、光学本体２が揺動範囲のいずれの位置にあっても、光学本体２は、レバー５１の押圧部５４によって外郭３の中心にロックされる。
【００２４】
このように、レーザ墨出し装置１が使用されないときは、脚部４が閉じられることによって光学本体２が外郭３に固定されるので、ユーザがレーザ墨出し装置１を持ち運んでも、光学本体２と外郭３とが当接して故障することがなくなる。また、外郭３の内部が外部に対して開いているのは、レバー５１の周囲における挿入孔３４の隙間だけであるので、外部の粉塵が外郭３内に入り難い。従って、粉塵によってジンバル機構３１の動作が悪くなったり、粉塵がビーム光Ｌの照射の障害になることがなくなる。なお、光学本体２の側面凹部２４が設けられていなくともよく、この場合にも開脚時には押圧部５４が光学本体２を周囲から押圧するので、光学本体２の揺動を強固に固定することができる。
【００２５】
（第１の変形例）
本実施形態の第１の変形例について、図５を参照して説明する。本変形例では、脚部４は凸部４２に代えて歯車４３を有しており、レバー５１は凹部５３に代えて歯車４３に噛合する受け歯車５５を有している。脚部４が開閉すると、歯車４３及び受け歯車５５を介してレバー５１が回動し、光学本体２のロック、及びロックの解除を行なう。このように、歯車４３及び受け歯車５５が、上記の実施形態での凸部４２及び凹部５３と同様の働きをするので、実施形態と同様に光学本体２の揺動を強固に固定することができる。また、実施形態と同様に外郭底板３２を備えているので、外部の粉塵が外郭３内に入り難く、粉塵による故障等が少ない。
【００２６】
（第２の変形例）
本実施形態の第２の変形例について、図６を参照して説明する。本変形例では、押圧部５４は、光学本体２の外形に沿う円弧形状をしている。押圧部５４が円弧形状をしているので、脚部４が閉じたときに、光学本体２の揺動を強固に固定することができる。また、本変形を第１の変形例のレーザ墨出し装置１に行なってもよい。
【００２７】
なお、本発明は、上記実施形態の構成に限られず、発明の趣旨を変更しない範囲で種々の変形が可能である。例えば、脚部４とレバー５１とが係合する部分の形状は、上記の形状に限定されるのでなく、脚部４の開閉によってレバー５１が回動する形状であればよく、例えば、脚部４に凹形状を形成し、レバー５１に凸形状を形成してもよい。
【符号の説明】
【００２８】
１  レーザ墨出し装置
２  光学本体
３  外郭
３１  ジンバル機構
３２  外郭底板
３４  挿入孔
４  脚部
４２  凸部
４３  歯車
５  ロック部（ロック手段）
５１  レバー
５３  凹部
５４  押圧部
５５  受け歯車
【図１】
2011038822.tif 000003
【図２】
2011038822.tif 000004
【図３】
2011038822.tif 000005
【図４】
2011038822.tif 000006
【図５】
2011038822.tif 000007
【図６】
2011038822.tif 000008
【図７】
2011038822.tif 000009
【図８】
2011038822.tif 000010